(57)【要約】【課題】ノートブックコンピュータ用オーディオ／ビデオシステムである。【解決手段】オーディオ／ビデオシステムを備えるノートブックコンピュータは、任意のオペレーティングシステムを起動することなく、記録可能なコンパクトディスク等の記憶装置にテレビ又はビデオをライティングすることは勿論、これら番組を視聴するユーザのために動作しうる。一実施形態では、オーディオ／ビデオシステムでオーディオ／ビデオ信号を処理するための回路が、アナログテレビ、デジタルテレビ及び他のビデオソースから信号を処理するための単一チップに統合される。統合に加え、ノートブックコンピュータがテレビ番組又はビデオの視聴又はコピーをするために動作している間、より低い電力消費を達成すべく適切かつ対応する電源管理が提供される。【選択図】図１
2007133849.tif 000002
【特許請求の範囲】
【請求項１】
ノートブックコンピュータ用オーディオ／ビデオシステムであって、前記ノートブックコンピュータは、ディスプレイ装置、音響再生装置及び記憶装置を具備し、前記オーディオ／ビデオシステムは：
アナログテレビ信号に接続され、前記アナログテレビ信号に従い第１オーディオ／ビデオ信号を発生するためのアナログチューナと；
デジタルテレビ信号に接続され、前記デジタルテレビ信号に従い第２オーディオ／ビデオ信号を発生するためのデジタルチューナと；
前記第１オーディオ／ビデオ信号、前記第２オーディオ／ビデオ信号、及び第３オーディオ／ビデオ信号を受信するためのオーディオ／ビデオ処理ユニットと；を具備し、前記オーディオ／ビデオ処理ユニットは：
前記第１オーディオ／ビデオ信号、前記第２オーディオ／ビデオ信号及び前記第３オーディオ／ビデオ信号に従い前記ディスプレイ装置及び前記音響再生装置を駆動するための、及び前記第１オーディオ／ビデオ信号及び前記第３オーディオ／ビデオ信号をデジタルオーディオ／ビデオ信号に変換するためのオーディオ／ビデオ駆動ユニットと；
前記デジタルオーディオ／ビデオ信号及び前記第２オーディオ／ビデオ信号をオーディオ／ビデオライティングデータに変換するための、及び前記オーディオ／ビデオライティングデータの前記記憶装置へのライティングに対し前記記憶装置を駆動するためのコンピュータ信号変換ユニットと；を具備し、
前記ノートブックコンピュータがオペレーティングシステムで起動しない時、前記オーディオ／ビデオシステムは、前記第１オーディオ／ビデオ信号、前記第２オーディオ／ビデオ信号及び前記第３オーディオ／ビデオ信号に従い前記ディスプレイ装置、前記音響再生装置及び前記記憶装置を駆動することを特徴とする。
【請求項２】
前記デジタルオーディオ／ビデオ信号及び前記第２オーディオ／ビデオ信号を前記ノートブックコンピュータのサウスブリッジに送信するための周辺バスインタフェースをさらに具備することを特徴とする請求項１に記載のオーディオ／ビデオシステム。
【請求項３】
前記周辺バスインタフェースは、ユニバーサルシリアルバス基準に準拠していることを特徴とする請求項２に記載のオーディオ／ビデオシステム。
【請求項４】
前記コンピュータ信号変換ユニット、前記記憶装及び前記ノートブックコンピュータのサウスブリッジ間の信号送信のためのマルチプレクサをさらに具備することを特徴とする請求項１に記載のオーディオ／ビデオシステム。
【請求項５】
前記コンピュータ信号変換ユニットは、ｉｎｔｅｇｒａｔｅｄ  ｄｒｉｖｅ  ｅｌｅｃｔｒｏｎｉｃｓ（ＩＤＥ）インタフェースを介して前記マルチプレクサに接続されることを特徴とする請求項４に記載のオーディオ／ビデオシステム。
【請求項６】
前記オーディオ／ビデオ処理ユニットはまた、前記アナログチューナ、前記デジタルチューナ、前記ディスプレイ装置、前記音響再生装置及び前記記憶装置を制御するために用いられることを特徴とする請求項４に記載のオーディオ／ビデオシステム。
【請求項７】
前記オーディオ／ビデオシステムの電源管理のための電源制御ユニットをさらに具備することを特徴とする請求項１に記載のオーディオ／ビデオシステム。
【請求項８】
前記電源制御ユニットに接続されている無線受信モジュールと；
前記無線受信モジュールに無線送信し前記オーディオ／ビデオシステムをアクティブにするための無線送信モジュールと；
をさらに具備することを特徴とする請求項７に記載のオーディオ／ビデオシステム。
【請求項９】
前記ノートブックコンピュータがオペレーティングシステムで起動せず、かつ前記オーディオ／ビデオシステムが、前記第１オーディオ／ビデオ信号、前記第２オーディオ／ビデオ信号及び前記第３オーディオ／ビデオ信号に従い前記ディスプレイ装置及び前記音響再生装置を駆動する時、前記電源制御ユニットは、前記オーディオ／ビデオ処理ユニット、前記アナログチューナ、前記ディスプレイ装置、前記音響再生装置及び前記無線受信モジュールの動作のための電圧の提供を制御することを特徴とする請求項７に記載のオーディオ／ビデオシステム。
【請求項１０】
前記ノートブックコンピュータがオペレーティングシステムで起動せず、かつ前記オーディオ／ビデオシステムが、前記第１オーディオ／ビデオ信号、前記第２オーディオ／ビデオ信号及び前記第３オーディオ／ビデオ信号に従い前記記憶装置を駆動する時、前記電源制御ユニットは、前記オーディオ／ビデオ処理ユニット、前記アナログチューナ、前記記憶装置及び前記無線受信モジュールの動作のための電圧の提供を制御することを特徴とする請求項７に記載のオーディオ／ビデオシステム。
【発明の詳細な説明】
【技術分野】
【０００１】
本発明は一般に、コンピュータシステムに関し、より具体的には、ノートブックコンピュータ及びそのテレビ機能のためのシステム集積回路に関する。なお、本出願は、２００５年１０月６日に出願された台湾特許出願番号９４１３４９８９号の出願に基づく優先権主張を伴い、その発明の要旨は本明細書中に組込まれている。
【背景技術】
【０００２】
最近、デスクトップコンピュータシステムは、テレビ番組を視聴しそれらをハードディスクドライブに記録するユーザのために又はそれらを記録可能なコンパクトディスクにリアルタイムにライティングするために設計されている。しかし、そのような設計は、コンピューティング資源及び多量のタスクがそのような機能を実行するために必要とされるので、Ｌｉｎｕｘ等のコンパクトなオペレーティングシステムに基づくべきである。オペレーティングシステムがテレビ番組をリアルタイムに視聴するユーザのためにコンピュータシステムを制御する時、コンピュータシステムの中央演算処理装置は、テレビ番組の表示に対応する複雑な命令を実行する。コンピュータシステムは、通常の使用よりも電力を消費する。特に、テレビ番組のビデオデータをハードディスクドライブにコピー又はそれらを記録可能なコンパクトディスクにライティングすると、さらに対応する回路を動作し関連するソフトウェアを実行する必要がある。そのような場面では、より高い電力消費をもたらす。
【０００３】
上記設計に従い構成される、ノートブックコンピュータ等の、携行型コンピュータシステムに関し、ノートブックコンピュータは、バッテリのみにより通電される場合、テレビ番組をリアルタイムに視聴するユーザのために比較的短縮した時間でのみ動作できる。さらにテレビ番組を視聴するために、ユーザは、バッテリの電力が使い尽くされた場合、不都合なことにバッテリを交換しなければならない。従って、ノートブックコンピュータがバッテリによる通電のみでより長く動作できるように、対応するビデオデータの表示又はコピーに対し低減された電力消費で、テレビ番組又はビデオをリアルタイムに視聴するユーザのためにノートブックコンピュータの機能を実装するのが望ましい。
【発明の開示】
【発明が解決しようとする課題】
【０００４】
故に本発明の目的は、記録可能なコンパクトディスク等の記憶装置にテレビ番組又はビデオデータをライティングすることは勿論、テレビ又はビデオをリアルタイムに視聴するユーザのためにノートブックコンピュータが任意のオペレーティングシステムをロードすることなく動作できるように、オーディオ／ビデオシステムをノートブックコンピュータ用に提供することにある。
【課題を解決するための手段】
【０００５】
本発明は、ノートブックコンピュータ用オーディオ／ビデオシステムを提供することにより上記に定めた目的を達成するものであり、ノートブックコンピュータは、ディスプレイ装置、音響再生装置及び記憶装置を含む。オーディオ／ビデオシステムは、アナログチューナ、デジタルチューナ及びオーディオ／ビデオ処理ユニットを含む。アナログテレビ信号に接続されたアナログチューナは、アナログテレビ信号に従い第１オーディオ／ビデオ信号を発生するために用いられる。デジタルテレビ信号に接続されたデジタルチューナは、デジタルテレビ信号に従い第２オーディオ／ビデオ信号を発生するために用いられる。オーディオ／ビデオ処理ユニットは、第１オーディオ／ビデオ信号、第２オーディオ／ビデオ信号及び第３オーディオ／ビデオ信号を受信するために採用されている。ノートブックコンピュータがオペレーティングシステムで起動しない時、オーディオ／ビデオシステムは、第１オーディオ／ビデオ信号、第２オーディオ／ビデオ信号及び第３オーディオ／ビデオ信号に従いディスプレイ装置、音響再生装置及び記憶装置を駆動する。一実施形態では、オーディオ／ビデオ処理ユニットは、オーディオ／ビデオ駆動ユニット及びコンピュータ信号変換ユニットを含む。オーディオ／ビデオ駆動ユニットは、第１オーディオ／ビデオ信号、第２オーディオ／ビデオ信号及び第３オーディオ／ビデオ信号に従いディスプレイ装置及び音響再生装置を駆動するために、及び第１オーディオ／ビデオ信号及び第３オーディオ／ビデオ信号をデジタルオーディオ／ビデオ信号に変換するために用いられる。コンピュータ信号変換ユニットは、デジタルオーディオ／ビデオ信号及び第２オーディオ／ビデオ信号をオーディオ／ビデオライティングデータに変換するために、及びオーディオ／ビデオライティングデータを記憶装置にライティングするよう記憶装置を駆動するために用いられる。
【０００６】
本発明のその他の目的、特長及び有利な点は、好ましい限定されない以下の詳細な説明から明らかである。以下の説明は添付図面を参照して行われる。
【発明を実施するための最良の形態】
【０００７】
本発明は、ノートブックコンピュータが例えば光学ディスクライターにより光学ディスクのような記憶装置にテレビ又はビデオをライティングするだけでなく、これらプログラムを視聴するユーザのために任意のオペレーティングシステムをロードすることなく動作できるように、ノートブックコンピュータ等の携行型コンピュータシステム用オーディオ／ビデオシステムを提供するものである。一実施形態では、オーディオ／ビデオシステムでオーディオ／ビデオ信号を処理するための回路は、アナログテレビ、デジタルテレビ及び他のビデオソースから信号を処理するために単一のチップに統合される。統合に加え、ノートブックコンピュータがテレビ番組又はビデオを視聴又はコピーするために動作している間、より低い電力消費を達成すべく適切かつ対応する電源管理が提供される。
【０００８】
図１を参照すると、本発明の好ましい実施形態によるノートブックコンピュータがブロック図形式で示されている。オーディオ／ビデオシステム２００は、ノートブックコンピュータ１００に用いられる。ノートブックコンピュータ１００は、ディスプレイ装置１０２、音響再生装置１０４及び記憶装置１０６を具備している。一例として、ディスプレイ装置１０２は、液晶ディスプレイ（ＬＣＤ）である。音響再生装置１０４はスピーカで、ノートブックコンピュータ１００に備えられた駆動回路に関連付けることができ、その関連駆動回路は、例えばアンプと、インテルのＡｕｄｉｏ  Ｃｏｄｅｃ  ‘９７（ＡＣ’９７）規格に準拠するコーデックとすることができる。記憶装置１０６は、ハードディスクドライブ又はノートブックコンピュータ１００に内蔵されたＣＤ−Ｒ、ＣＤ−ＲＷ、ＤＶＤ＋Ｒ、ＤＶＤ−Ｒ、ＤＶＤ＋ＲＷ及び／又はＤＶＤ−ＲＷ等の光学ディスク用の光学ディスクライターにすることができる。本実施形態では、記憶装置１０６は、テレビ番組又はビデオソースのビデオデータを記憶するために用いられ、それにより任意のタイプの記憶装置が、外部又は内部のいずれかで適応しうる。
【０００９】
オーディオ／ビデオシステム２００はまた、アナログチューナ２０２、デジタルチューナ２０４及びオーディオ／ビデオ処理ユニット２０６を具備している。オーディオ／ビデオ処理ユニット２０６は、例えばオーディオ／ビデオ復調及びＭＰＥＧ符号化／復号化を実行するためのプロセッサであり、オーディオ／ビデオ変調装置及びＭＰＥＧコーデックを統合することにより実装されてもよい。アナログチューナ２０２は、アナログテレビ番組Ｓ１のチャンネル信号を選択し、アナログテレビ番組Ｓ１を第１オーディオ／ビデオ信号（以下ＡＶ（１）信号）に変換し、オーディオ／ビデオ処理ユニット２０６にＡＶ（１）信号を出力するために用いられる。ＡＶ（１）信号は例えば、コンポジットビデオブロードキャスト信号（ＣＶＢＳ）及び第２音響ＩＦ（ＳＳＩＦ）信号を含む。アナログテレビ番組Ｓ１は、例えばＮＴＳＣ又はＰＡＬ基準に準拠するラジオ周波数（ＲＦ）信号である。デジタルチューナ２０４は、デジタルテレビ番組Ｓ２のチャンネル信号を選択し、デジタルテレビ番組Ｓ２を第２オーディオ／ビデオ信号（以下ＡＶ（２）信号）に変換し、オーディオ／ビデオ処理ユニット２０６へＡＶ（２）信号を出力するために用いられる。ＡＶ（２）信号は例えば、ＭＰＥＧ−２トランスフォームストリーム基準に準拠している。
【００１０】
ＡＶ（１）信号及びＡＶ（２）信号に加え、オーディオ／ビデオ処理ユニット２０６はまた、例えばＤＶＤ／ＶＣＤプレーヤ又はＳｏｎｙ（登録商標）によるＰｌａｙ  Ｓｔａｔｉｏｎ２（登録商標）等のビデオゲーム装置から外部オーディオ／ビデオソースの、オーディオ／ビデオソースＳ３を受信できる。オーディオ／ビデオ処理ユニット２０６により受信されたオーディオ／ビデオソースＳ３は第３オーディオ／ビデオ信号（以下ＡＶ（３）信号）として指定される。オーディオ／ビデオ処理ユニット２０６は、ＡＶ（１）信号、ＡＶ（２）信号及びＡＶ（３）信号に従い、ディスプレイ装置１０２及び音響再生装置１０４又は記憶装置１０６を駆動するか、又はディスプレイ装置１０２、音響再生装置１０４及び記憶装置１０６を同時に駆動する。
【００１１】
図２は、本発明によるオーディオ／ビデオシステムの一例を示している。オーディオ／ビデオシステム２００はまた、電源制御ユニット、無線受信モジュール２１２及び無線送信モジュール２１４を具備している。図２では、電源制御ユニットは、例えばＥＣにより図示されるように、埋込ＩＣにより実装されている。電源制御ユニットＥＣ及び無線受信モジュール２１２は、ノートブックコンピュータ１００に配設されている。電源制御ユニットＥＣは、電源管理がオーディオ／ビデオシステム２００の電源管理を具備しているノートブックコンピュータ１００で電源供給の管理に用いられる。電源制御ユニットＥＣは、無線受信モジュール２１２に接続される。無線送信モジュール２１４は、例えば赤外線リモコンである。赤外線受信モジュール等の無線受信モジュール２１２は、無線送信モジュール２１４に対応し、無線送信モジュール２１４からコマンドを示す信号を受信する。オーディオ／ビデオ処理ユニット２０６はまた、ＡＶ（１）信号、ＡＶ（２）信号及びＡＶ（３）信号のうち１つに従い、ディスプレイ装置１０２及び音響再生装置１０４を駆動するためにオーディオ／ビデオ駆動ユニット２０８を具備している。
【００１２】
まず、オーディオ／ビデオシステム２００の動作は、ノートブックコンピュータ１００が、例えばＭｉｃｒｏｓｏｆｔ  Ｗｉｎｄｏｗｓ（登録商標）  ＸＰ又はＬｉｎｕｘのオペレーティングシステムで起動することなく、アナログテレビ番組Ｓ１、デジタルテレビ番組Ｓ２又はオーディオ／ビデオソースＳ３を表示するよう用いられるという場面で説明されている。無線送信モジュール２１４は、オーディオ／ビデオシステム２００をアクティブにするため、例えばアナログテレビ番組Ｓ１を選択するために用いられる。電源制御ユニットＥＣはその時、アナログチューナ２０２、オーディオ／ビデオ処理ユニット２０６、ディスプレイ装置１０２及び音響再生装置１０４を起動する。オーディオ／ビデオ駆動ユニット２０８は、アナログチューナ２０２により出力されたＡＶ（１）信号のビデオコンポーネントを、ディスプレイ装置１０２により受信又はアクセプト可能なデジタルディスプレイ信号に変換するために用いられる。即ち、デジタルディスプレイ信号は、ＡＶ（１）信号がＣＶＢＳ及びＳＳＩＦ信号を含む場合にはＣＶＢＳである。一例として、オーディオ／ビデオ駆動ユニット２０８は、ビデオ処理装置及び変換器を含む（両方とも図示せず）。ビデオ処理装置はＡＶ（１）信号を、ＭＰＥＧ−２トランスポートストリーム基準に準拠するデジタルオーディオ／ビデオ信号ＴＳに変換する。デジタルオーディオ／ビデオ信号ＴＳは、ノンインタレース信号、即ちデジタルディスプレイ信号に変換され、ディスプレイ装置１０２に出力される。ディスプレイ装置１０２は、ノンインタレース信号に従いビデオを表示する。デジタルオーディオ／ビデオ信号ＴＳのオーディオコンポーネントは処理後、音響再生装置１０４に送信され再生される。このように、ノートブック１００は、この機能を促進するために必要なコンポーネントで、例えばオーディオ／ビデオ処理ユニット２０６、電源制御ユニットＥＣ、アナログチューナ２０２、ディスプレイ装置１０２及び音響再生装置１０４のみ通電すればよいため、電力を節約しうる一方、オペレーティングシステムで起動することなく、アナログテレビ番組Ｓ１を表示することができる。例えば、電源制御ユニットＥＣは、これらコンポーネントの動作のための電圧の提供を制御する。
【００１３】
次に、デジタルテレビ番組Ｓ２又はオーディオ／ビデオソースＳ３の表示動作は、上記と同様である。例えば、ユーザがデジタルテレビ番組Ｓ２を視聴したい時、ユーザは、デジタルテレビ番組Ｓ２を選択するために無線送信モジュール２１４を用いてもよい。オーディオ／ビデオ駆動ユニット２０８はその時、デジタルチューナ２０４から出力されたＡＶ（２）信号を受信する。ＡＶ（２）信号は、ＴＳ信号の基準に準拠するので、オーディオ／ビデオ処理ユニット２０６は、ディスプレイ装置１０２を駆動できるフォーマットの信号へＡＶ（２）信号を直接変換し、音響再生装置１０４を駆動して音響を再生する。例えば、ＡＶ（２）信号は、前述の変換器を介してディスプレイ装置１０２を駆動する。電源管理に関し、オーディオ／ビデオ駆動ユニット２０８、電源制御ユニットＥＣ、デジタルチューナ２０４、ディスプレイ装置１０２及び音響再生装置１０４のみが通電される。例えば、電源制御ユニットＥＣは、これらコンポーネントの動作のための電圧の提供を制御する。
【００１４】
最後に、オーディオ／ビデオソースＳ３の表示動作は、アナログチューナ２０２及びデジタルチューナ２０４の未使用を除き、上記と同様である。オーディオ／ビデオ駆動ユニット２０８は、オーディオ／ビデオ信号、即ちＡＶ（３）をオーディオ／ビデオソースＳ３から受信し、ＡＶ（３）信号に従いディスプレイ装置１０２及び音響再生装置１０４を駆動する。上述のように、ユーザは、オペレーティングシステムでノートブックコンピュータ１００を起動することなく、アナログテレビ番組Ｓ１、デジタルテレビ番組Ｓ２又はオーディオ／ビデオソースＳ３を視聴することができる。さらに、オーディオ／ビデオ処理ユニット２０６のいくつかの関連回路、例えばオーディオ／ビデオ駆動ユニット２０８、ビデオ処理装置及び変換器は全て、チップ領域を確保しかつ電力消費を低減するために単一のＩＣに実装及び統合することができる。
【００１５】
図３は、本発明によるオーディオ／ビデオシステムの他の一例を示している。アナログテレビ番組Ｓ１、デジタルテレビ番組Ｓ２又はオーディオ／ビデオソースＳ３を、例えばそれをハードディスクドライブ又は光学ディスクライターで記録する記憶装置１０６へ記録することが所望される場合、オーディオ／ビデオ処理ユニット２０６はまた、ハードディスクドライブ又は光学ディスクライターにより受信できるデータビットストリームへＡＶ（１）信号、ＡＶ（２）信号又はＡＶ（３）信号を変換するために採用される。この例では、オーディオ／ビデオシステム２００はさらに、マルチプレクサ２１０を含み、オーディオ／ビデオ処理ユニット２０６はさらに、コンピュータ信号変換ユニット２１８を含む。コンピュータ信号変換ユニット２１８は、デジタルオーディオ／ビデオ信号ＴＳ又はＡＶ（２）信号を、例えば前述のデータビットストリームであり、Ｄで図示されたオーディオ／ビデオライティングデータに変換する。オーディオ／ビデオライティングデータＤは、ｉｎｔｅｇｒａｔｅｄ  ｄｒｉｖｅ  ｅｌｅｃｔｒｏｎｉｃｓ（ＩＤＥ）インタフェース等のインタフェースを介してマルチプレクサ２１０へ送信されうる。マルチプレクサ２１０は、データ送信のため選択的に光学ディスクライター又はハードディスクドライブに接続される。マルチプレクサ２１０はまた、ノートブックコンピュータ１００がオペレーティングシステムで動作する時、記憶装置１０６とサウスブリッジとの間の対応する信号送信を促進するためにノートブックコンピュータ１００のサウスブリッジ（図４）に接続される。このように、アナログテレビ番組Ｓ１、デジタルテレビ番組Ｓ２又はオーディオ／ビデオソースＳ３のリアルタイム記録が、オペレーティングシステムでノートブックコンピュータ１００を起動することなく実行できる。さらに、必要なコンポーネント、例えばオーディオ／ビデオ処理ユニット２０６、電源制御ユニットＥＣ、アナログチューナ２０２、デジタルチューナ２０４、マルチプレクサ２１０及び記憶装置１０６のみが、そのような機能を達成するために通電されればよいから、ノートブックコンピュータ１００のバッテリの電力が確保される。同時にビデオソースのビデオを表示しそれらを記録するには、オーディオ／ビデオ駆動ユニット２０８及びコンピュータ信号変換ユニット２１８をアクティブにするだけでよい。
【００１６】
また、オペレーティングシステムで動作するノートブックコンピュータ１００がアナログテレビ番組Ｓ１、デジタルテレビ番組Ｓ２及びオーディオ／ビデオソースＳ３を表示又は記録する場面を開示する。図４を参照すると、本発明によるオーディオ／ビデオシステムの一例が示されている。この例では、オーディオ／ビデオシステム２００はさらに、周辺バスインタフェース２１６を含む。ノートブックコンピュータ１００は、サウスブリッジ１０８を含む。アナログテレビ番組Ｓ１又はオーディオ／ビデオソースＳ３を表示又は記録するため、オーディオ／ビデオ処理ユニット２０６は、例えばＭＰＥＧ−２トランスポートストリーム基準に準拠するデジタルオーディオ／ビデオ信号ＴＳ、又は他のフォーマットのデジタルビデオ信号及びデジタルオーディオ信号にＡＶ（１）信号又はＡＶ（３）信号を変換する。デジタルオーディオ／ビデオ信号ＴＳ（又は他のデジタルビデオ及びオーディオ信号）は、ＵＳＢ、ＰＣＩ又はＩＥＥＥ１３９４等の周辺バスインタフェース２１６を介してノートブックコンピュータ１００のサウスブリッジ１０８に送信され、そしてその時表示するために、又はマルチプレクサ２１０を介して記憶装置１０６上に記録するためにオペレーティングシステムにより実行された対応する番組に提供される。
【００１７】
デジタルテレビ番組Ｓ２を表示又は記録する時、オーディオ／ビデオ処理ユニット２０６は、表示するために、又は記憶装置１０６上に記録するために、オペレーティングシステムにより実行される対応する番組に関し、デジタルチューナ２０４により出力されたＡＶ（２）信号をコンピュータシステムに直接送信する。
【００１８】
上記実施形態に開示されたオーディオ／ビデオシステムは、オペレーティングシステムをロードすることなく、テレビ番組又はビデオソースのビデオを表示又はそれらビデオデータを記録するために用いることができる。単一チップへの関連回路の統合及び適切な電源管理で、ノートブックコンピュータは、表示又は記録時に電力消費を低減しうる。
【００１９】
本発明は一例として好ましい実施形態の観点から詳述されたが、本発明がそれに限られないことは理解されよう。一方で本発明が、様々な変更や類似の配置及び手段に及び、故に以下の特許請求の範囲が、そのような全ての変更や類似の配置及び手段を包含するよう最も広範囲に解釈されるべきである。
【図面の簡単な説明】
【００２０】
【図１】図１は、本発明の好ましい実施形態によるノートブックコンピュータを説明するブロック図である。
【図２】図２は、本発明のオーディオ／ビデオシステムの一例を示す図である。
【図３】図３は、本発明によるオーディオ／ビデオシステムの他の一例を示す図である。
【図４】図４は、本発明によるオーディオ／ビデオシステムの一例を示す図である。
【符号の説明】
【００２１】
１００  ノートブックコンピュータ
１０４  音響再生装置
２００  オーディオ／ビデオシステム
２０６  オーディオ／ビデオ処理ユニット
２１２  無線受信モジュール
２１４  無線送信モジュール
【図１】
2007133849.tif 000003
【図２】
2007133849.tif 000004
【図３】
2007133849.tif 000005
【図４】
2007133849.tif 000006